(57)【要約】      （修正有）【課題】造園工事などの作業に使用するリヤカーやテーブル等に組み替え可能な折りたたみリヤカーを提供する。【解決手段】２つの折りたたみ継手２ａと、踏み段と、天盤板を支えるための腕木２ｅと、スライド式骨組２ｃと、高さ調整機２ｄとを備えた格子骨組２つ折り本体２と、２台のコンロ付き車輪１ａと、車輪付きハンドル１と、２台のコンロ台＆天盤板５とを備える。さらに、２組の格子骨組２つ折り３と、ブレス大４と、ブレス小４ａとを備える。収納時は、格子骨組２つ折り本体２の間にコンロ付き車輪１ａと格子骨組２つ折り３を収納し、踏み段と踏み段の間にコンロ付車輪１ａなどを収納し、ブレス４、４ａを、収納ボックス５に取り付け、車輪付きハンドル１を、本体２に取り付けて移動可能にする。【選択図】図３
0003179504.tif 000002
【実用新案登録請求の範囲】
【請求項１】
作業サポート折りたたみリヤカーは、８つの形状に組み替えることができ、基本となる形状は、作業サポート折りたたみリヤカー自体を持ち運ぶための形状（図１）であり、他には用途に合わせ、リヤカー（図３）、カート（図４）、テーブルセット（図５）、またテーブルセット（図５）は、テーブルとイス＆収納ボックスであり、その収納ボックスには、壁テント幕（７）、屋根テント幕（７ａ）と部材と部材のジョイント金物（６）が収納してあり、他には作業台（図６）、脚立（図７）、梯子（図８）および仮設テント（図１０）の７つの形状に組み替えることができ、このようにすべての部品が収納される基本となる形状（図１）と、その他７つの作業サポートの道具に形状を組み替えることができるように考案した作業サポート折りたたみリヤカー。
【請求項２】
作業サポート折りたたみリヤカーは、リヤカー（図３）に組み替えることができ、リヤカー（図３）として使用する際は、作業サポートおりたたみリヤカーの収納状態（図１）から格子骨組２つ折り本体（２）以外の部品をすべて外して、格子骨組２つ折り本体（２）を１８０°に開き、その折りたたみ継手（２ａ）の両側を９０°上部に折り曲げてリヤカーの側面とし、格子骨組２つ折り本体（２）の折り曲げ部分の踏み段（２ｂ）にコンロ付車輪（１ａ）２台をそれぞれ取り付け、車輪付きハンドル（１）を格子骨組み２つ折り本体（２）の中央部に取り付け固定して、次に天盤板を支えるための腕木（２ｅ）を出し、コンロ台＆天盤板（５）をリヤカー底部の所定の位置に組み込み、組み込まれたコンロ台＆天盤板（５）の天盤板を開いて設置し、その天盤板を囲うように格子骨組２つ折り（３）２組を配置して固定し、先に取り外してある椅子＆収納ボックス（５ａ）４台とブレス大（４）を側面に設置することによりリヤカーができ、この形状の組み替えを特徴とする、請求項１記載の作業サポート折りたたみリヤカー。
【請求項３】
作業サポート折りたたみリヤカーは、カート（図４）に組み替えることができ、カート（図４）として使用する際は、作業サポート折りたたみリヤカーの収納状態（図１）から、コンロ付車輪（１ａ）２台、車輪付ハンドル（１）、格子骨組２つ折り（３）とブレス大（４）を外し、格子骨組２つ折り本体（２）を１８０°に開き、コンロ付車輪（１ａ）２台をそれぞれ折りたたみ継手（２ａ）に取り付け、車輪付ハンドル（１）をスライド式骨組み（２ｃ）に取り付けて固定し、次に天盤板と椅子＆収納ボックス（５ａ）の上部板を支えるための腕木（２ｅ）を出し、コンロ台＆天盤板（５）の天盤板を開き、椅子＆収納ボックス（５ａ）の上部板を開いて、格子骨組２つ折り（３）を両側の腕木（２ｅ）にそれぞれ固定して、ブレス大（４）を格子骨組２つ折り（３）の末端部分にそれぞれ配置して、ブレス小（４ａ）で固定することによりカートができ、この形状組み換えを特徴とする請求項１記載の作業サポート折りたたみリヤカー。
【請求項４】
作業サポート折りたたみリヤカーは、テーブルセット（図５）に組み替えることができ、テーブルセット（図５）として使用する際は、作業サポート折りたたみリヤカーの収納状態（図１）から、格子骨組２つ折り本体（２）以外の部品をすべて外して格子骨組２つ折り本体（２）を１８０°に開き、その折りたたみ継手（２ａ）部分の両側を９０°下部に折り曲げ固定して、その側面にブレス大（４）を設置し、コンロ付車輪（１ａ）２つを上部の折りたたみ継手（２ａ）部分の踏み段（２ｂ）に水平に取り付け、その上にコンロ台＆天盤板（５）を設置して、天盤板を支えるための腕木（２ｅ）を出し、コンロ台＆天盤板（５）の天盤板を開いてコンロ付テーブルとし、椅子＆収納ボックス（５ａ）４台を組み立て、高さ調整して椅子となることによってテーブルセットができ、この形状の組み替えを特徴とする請求項１記載の作業サポート折りたたみリヤカー。
【請求項５】
作業サポート折りたたみリヤカーは、作業台（図６）に組み替えることができ、作業台（図６）として使用する際は、作業サポート折りたたみリヤカーの収納状態（図１）から格子骨組２つ折り本体（２）以外の部品をすべて外して、格子骨組２つ折り本体（２）を１８０°に開き、その折りたたみ継手（２ａ）の両側を９０°下部に折り曲げ固定して、その側面にブレス大（４）を設置し、コンロ台＆天盤板（５）を格子骨組２つ折り本体（２）の上部に設置し、スライド式骨組（２ｃ）と高さ調整機（２ｄ）で高さ調整して作業台（図８）ができ、この形状の組み替えを特徴とする請求項１記載の作業サポート折りたたみリヤカー。
【請求項６】
作業サポート折りたたみリヤカーは、脚立（図６）に組み替えることができ、脚立（図６）として使用する際は、作業サポート折りたたみリヤカーの収納状態（図１）から格子骨組２つ折り本体（２）以外の部品をすべて外して格子骨組２つ折り本体（２）を２０°に開き、その側面にブレス小（４ａ）を取り付けて、スライド式骨組（２ｃ）と高さ調整機（２ｄ）で高さ調整して脚立ができ、この形状の組み替えを特徴とする請求項１記載の作業サポート折りたたみリヤカー。
【請求項７】
作業サポート折りたたみリヤカーは、梯子（図７）に組み替えることができ、梯子（図７）として使用する際は、作業サポート折りたたみリヤカーの収納状態（図１）から格子骨組２つ折り本体以外の部品をすべて外して、格子骨組２つ折り本体（２）を１８０°に開き中央部の巾留め（２ｆ）を固定して、スライド式骨組（２ｃ）と高さ調整機（２ｄ）で高さ調整して梯子ができ、この形状の組み替えを特徴とする請求項１記載の作業サポート折りたたみリヤカー。
【請求項８】
作業サポート折りたたみリヤカーは、仮設テント（図１０）に組み替えることができ、仮設テント（図１０）として使用する際は、作業サポート折りたたみリヤカーの収納状態（図１）から格子骨組２つ折り本体（２）以外の部品をすべて外して、格子骨組２つ折り本体（２）を１８０°に開き格子骨組２つ折り本体（２）の中央部の巾留め（２ｆ）を固定して、スライド式骨組み（２ｃ）を伸ばし、格子骨組２つ折り（３）２組を１８０°に開き固定し、格子骨組２つ折り本体（２）と格子骨組２つ折り（３）を鳥居に組み、土台、柱、小屋、筋かいなどの軸骨となるブレス大（４）とジョイント金物（６）で組み屋根のテント幕（７ａ）と、壁テント幕（７）をかぶせて仮設テントができ、この形状の組み替えを特徴とする請求項１記載の作業サポート折りたたみリヤカー。
【考案の詳細な説明】
【技術分野】
【０００１】本考案は工事作業やレジャー時における作業をする際のサポートする道具であるリヤカー、カート、休憩時のテーブルセット、作業台、脚立、梯子および雨・日除け仮設テントを作業サポート折りたたみリヤカーの形状に組み替えて、それらに転用することができる様に考案した作業サポート折りたたみリヤカー。
【背景技術】
【０００２】造園工事、屋根修繕工事、内装工事の作業に脚立、梯子、作業台、また手押し運搬にはカートやリヤカー等が使用されている。
【先行技術文献】
【０００３】
【特許文献】
【特許文献】公報２００２登録実用新案第３０９１８８３号  特許公開２００８−１４３４５８
【考案の概要】
【考案が解決しようとする課題】
【０００４】工事作業やレジャー時の作業をする際の仮説道具の種類が多く、その大きさや重量もまちまちであり、持ち運びも大変で、また保管場所もある程度必要である。このような問題に対し、荷物の軽減と移動時の連帯性、保管場所の最小化が課題である。
【課題を解決するための手段】
【０００５】作業サポート折りたたみリヤカーは、８つの形状に組み替えることができ、基本となる形状は、作業サポート折りたたみリヤカー自体を持ち運ぶための形状（図１）である、他に用途に合わせ、リヤカー（図３）、カート（図４）、テーブルセット（図５）、またテーブルセット（図５）は、テーブルとイス＆収納ボックスであり、その収納ボックスには、壁テント幕（７）、屋根テント幕（７ａ）と部材と部材のジョイント金物（６）が収納してあり、他には作業台（図６）、脚立（図７）、梯子（図８）および仮設テント（図１０）の７つの形状に組み替えることができ、このようにすべての部品が収納される基本となる形状と、その他７つの作業サポート道具に形状を組み替えることができるように考案した作業サポート折りたたみリヤカー。
【考案の効果】
【０００６】移動時の荷物（仮設道具）の軽減になり、携帯性が増し、保存場所も最小化になった。
【図面の簡単な説明】
【０００７】
【図１】作業サポート折りたたみリヤカー収納時の斜視図
【図２】作業サポート折りたたみリヤカー分解図
【図３】作業サポート折りたたみリヤカー斜視図
【図４】カートの斜視図
【図５】コンロ付テーブルセットの斜視図
【図６】作業台の斜視図
【図７】脚立の斜視図
【図８】梯子の斜視図
【図９】椅子＆収納ボックスの斜視図
【図１０】仮設テントの斜視図
【考案を実施するための形態】
【０００８】作業サポート折りたたみリヤカーは、その収納状態（図１）の形状を基本形態とし、主にリヤカー（図３）に組み替えることができ、リヤカー（図３）として使用する際は、作業サポートおりたたみリヤカーの収納状態（図１）から格子骨組２つ折り本体（２）以外の部品をすべて外して、格子骨組２つ折り本体（２）を１８０°に開き、その折りたたみ継手（２ａ）の両側を９０°上部に折り曲げてリヤカーの側面とし、格子骨組２つ折り本体（２）の折り曲げ部分の踏み段（２ｂ）にコンロ付車輪（１ａ）２台をそれぞれ取り付け、車輪付きハンドル（１）を格子骨組み２つ折り本体（２）の中央部に取り付け固定して、次に天盤板を支えるための腕木（２ｅ）を出し、コンロ台＆天盤板（５）をリヤカー底部の所定の位置に組み込み、組み込まれたコンロ台＆天盤板（５）の天盤板を開いて設置し、その天盤板を囲うように格子骨組２つ折り（３）２組を配置して固定し、先に取り外してある椅子＆収納ボックス（５ａ）４台とブレス大（４）を側面に設置することによりリヤカーができ、この形状の組み替えを特徴とする、請求項１記載の作業サポート折りたたみリヤカー。
【符号の説明】
【０００９】１．  車輪付ハンドル
１ａ．コンロ付車輪
２．  格子骨組２つ折り（本体）
２ａ．折りたたみ継手
２ｂ．踏み段
２ｃ．スライド式骨組
２ｄ．高さ調整機
２ｅ．腕木
２ｆ．巾留め
３．  格子骨組２つ折り
４．  ブレス大
４ａ．ブレス小
５．  コンロ台＆収納ボックス
５ａ．椅子＆収納ボックス
６．  ジョイント金物
７．  壁テント幕
７ａ．屋根テント幕
【図１】
0003179504.tif 000003
【図２】
0003179504.tif 000004
【図３】
0003179504.tif 000005
【図４】
0003179504.tif 000006
【図５】
0003179504.tif 000007
【図６】
0003179504.tif 000008
【図７】
0003179504.tif 000009
【図８】
0003179504.tif 000010
【図９】
0003179504.tif 000011
【図１０】
0003179504.tif 000012
【手続補正書】
【提出日】平成24年8月14日(2012.8.14)
【手続補正１】
【補正対象書類名】実用新案登録請求の範囲
【補正対象項目名】全文
【補正方法】変更
【補正の内容】
【実用新案登録請求の範囲】
【請求項１】
作業サポート折りたたみリヤカーは、２つ折り可能で、２つの折りたたみ継手（２ａ）と、踏み段（２ｂ）と、天盤板を支えるための腕木（２ｅ）と、スライド式骨組（２ｃ）と、高さ調整機（２ｄ）とを備えた格子骨組２つ折り本体（２）と、２台のコンロ付き車輪（１ａ）と、車輪付きハンドル（１）と、２台のコンロ台＆天盤板（５）と、４台の椅子＆収納ボックス（５ａ）、その収納ボックスには、壁テント幕（７）、屋根テント幕（７ａ）と、部材と部材のジョイント金物（６）が収納してあり、また２組の格子骨組２つ折り（３）と、ブレス大（４）と、ブレス小（４ａ）とから構成され、収納時は、格子骨組２つ折り本体（２）の間にコンロ付き車輪（１ａ）と格子骨組２つ折り（３）を収納し、踏み段（２ｂ）と踏み段（２ｂ）の間に、（１ａ）（１）（５）（５ａ）を収納して、（４）（４ａ）を、（５ａ）に取り付け、車輪付きハンドル（１）を、本体（２）に取り付けて移動可能にして、作業用途に合わせて、組み替えることができるように考案した作業サポート折りたたみリヤカー。
【請求項２】
作業サポート折りたたみリヤカーは、請求項１記載事項より構成され、リヤカーに組み替えることができ、リヤカーとして使用する際は、格子骨組２つ折り本体（２）を１８０°に開き、その折りたたみ継手（２ａ）の両側を９０°上部に折り曲げて、リヤカーの側面とし、格子骨組２つ折り本体（２）の折り曲げ部分の踏み段（２ｂ）にコンロ付き車輪（１ａ）２台をそれぞれ取り付け、車輪付きハンドル（１）を格子骨組２つ折り本体（２）の中央部に取り付け固定して、天盤板を支えるための腕木（２ｅ）を出し、コンロ台＆天盤板（５）をリヤカー底部の所定の位置に組み込み、組み込まれたコンロ台＆天盤板（５）の天盤板を開いて設置し、その天盤板を囲うように格子骨組２つ折り（３）２組を配置して固定し、椅子＆収納ボックス（５ａ）４台と、ブレス大（４）を側面に設置することによりリヤカーができる、組み替えを特徴とする請求項１記載の作業サポート折りたたみリヤカー。
【請求項３】
作業サポート折りたたみリヤカーは、請求項１記載事項より構成され、カートに組み替えることができ、カートとして使用する際は、格子骨組２つ折り本体（２）を１８０°に開き、コンロ付き車輪（１ａ）２台それぞれを折りたたみ継手（２ａ）に取り付け、車輪付きハンドル（１）をスライド式骨組（２ｃ）に取り付けて固定し、天盤板を支えるための腕木（２ｃ）を出し、コンロ台＆天盤板（５）と椅子＆収納ボックスを所定の位置に組み込み、天盤板を開いて設置し、格子骨組２つ折り（３）を両側の腕木（２ｅ）に固定して、ブレス大（４）を格子骨組２つ折り（３）の末端部分に配置して、ブレス小（４ａ）で固定してカートができる、組み替えを特徴とする請求項１記載の作業サポート折りたたみリヤカー。
【請求項４】
作業サポート折りたたみリヤカーは、請求項１記載事項より構成され、テーブルセットに組み替えることができ、テブールセットとして使用する際は、格子骨組２つ折り本体（２）を１８０°に開き、その折りたたみ継手（２ａ）部分の両側を９０°下部に折り曲げ固定して、その側面にブレス大（４）を設置し、コンロ付き車輪（１ａ）２つを上部の折りたたみ継手（２ａ）部分の踏み段（２ｅ）に水平に取り付け、その上にコンロ台＆天盤板（５）を設置して、天盤板を支えるための腕木（２ｂ）を出し、コンロ台＆天盤板（５）の天盤板を開いてコンロ付きテーブルとし、椅子＆収納ボックス（５ａ）４台を組み立て、高さ調整して椅子となることによってテーブルセットができる、組み替えを特徴とする請求項１記載の作業サポート折りたたみリヤカー。
【請求項５】
作業サポート折りたたみリヤカーは、請求項１記載事項より構成され、作業台に組み替えることができ、作業台として使用する際は、格子骨組２つ折り本体（２）を１８０°に開き、その折りたたみ継手（２ａ）の両側を９０°下部に曲げ固定して、その側面にブレス大（４）を設置し、コンロ台＆天盤板（５）を格子骨組２つ折り本体（２）の上部に設置し、スライド式骨組（２ｃ）と高さ調整機（２ｄ）で高さ調整して作業台ができる、組み替えを特徴とする請求項１記載の作業サポート折りたたみリヤカー。
【請求項６】
作業サポート折りたたみリヤカーは、請求項１記載事項より構成され、脚立に組み替えることができ、脚立として使用する際は、格子骨組２つ折り本体（２）を２０°に開き、その両面にブレス小（４ａ）を取り付けて、スライド式骨組（２ｃ）と高さ調整機（２ｄ）で高さ調整して脚立ができる、組み替えを特徴とする請求項１記載の作業サポート折りたたみリヤカー。
【請求項７】
作業サポート折りたたみリヤカーは、請求項１記載事項より構成され、梯子に組み替えることができ、梯子として使用する際は、格子骨組２つ折り本体（２）を１８０°に開き中央部の巾留め（２ｆ）を固定して、スライド式骨組（２ｃ）と高さ調整機（２ｄ）で高さ調整して梯子ができる、組み替えを特徴とする請求項１記載の作業サポート折りたたみリヤカー。
【請求項８】
作業サポート折りたたみリヤカーは、請求項１記載事項より構成され、仮設テントに組み替えることができ、仮設テントとして使用する際は、格子骨組２つ折り本体（２）を１８０°に開き格子骨組２つ折り本体（２）の中央部の巾留め（２ｆ）を固定して、スライド式骨組（２ｃ）を伸ばし、格子骨組２つ折り（３）２組を１８０°に開き固定して、格子骨組２つ折り本体（２）と格子骨組２つ折り（３）を鳥居に組み土台、柱、小屋、筋かいなどの軸骨となるブレス大（４）とジョイント金物（６）で組み屋根のテント幕（７ａ）と、壁テント幕（７）をかぶせて仮設テントができる、組み替えを特徴とする請求項１記載の作業サポート折りたたみリヤカー。